(57)【特許請求の範囲】
【請求項１】
入力端子と、前記入力端子からの入力信号を入力とする振幅調整が可能な増幅回路と、前記増幅回路の出力を入力とするローパスフィルタと、前記ローパスフィルタの出力を入力とするクランプ回路と、前記クランプ回路の出力を入力とする同期信号分離回路と、前記同期信号分離回路の出力を入力とし前記同期信号分離回路の出力の立ち上がりから第１の所定の幅の矩形波を出力する第１の矩形波発生回路と、前記同期信号分離回路の出力を入力とし前記同期信号分離回路の出力の立ち上がりから第２の所定の幅の矩形波を出力する第２の矩形波発生回路と、前記同期信号分離回路の出力を入力とし前記同期信号分離回路の出力の立ち上がりから第３の所定幅の矩形波を出力する第３の矩形波発生回路と、前記同期信号分離回路の出力を入力とし前記同期信号分離回路の出力を反転して出力する第１の反転回路と、前記第１の矩形波発生回路と前記第２の矩形波発生回路の出力を入力とし前記第１の矩形波発生回路と前記第２の矩形波発生回路の出力を切り換えるスイッチ回路と、前記スイッチ回路を制御する信号を入力する第１の制御信号入力端子と、前記スイッチ回路の出力を入力とし前記スイッチ回路の出力を反転して出力する第２の反転回路と、前記同期信号分離回路の出力と、前記第２の反転回路の出力を入力し論理積の結果を出力する第１の論理積回路と、前記第１の論理積回路の出力を入力とし前記第１の論理積回路の出力の立ち上がりから第４の所定の幅の矩形波を出力する第４の矩形波発生回路と、前記第４の矩形波発生回路の出力と、前記第３の矩形波発生回路の出力を入力とし論理積の結果を出力する第２の論理積回路と、前記第２の論理積回路の出力と前記第１の反転回路の出力とを入力とし論理積の結果を出力する第３の論理積回路と、前記第３の論理積回路の出力と前記クランプ回路の出力とを入力とし前記クランプ回路の出力に前記第３の論理積回路の出力を加算する加算回路と、前記加算回路の出力を入力とし前記加算回路の出力の最大値を検波する最大値検波回路と、前記最大値検波回路の出力を入力とし所定の直流電圧と比較する比較回路とを備えたことを特徴とする自動利得制御回路。
【請求項２】
入力端子と、前記入力端子からの入力信号を入力とする振幅調整が可能な増幅回路と、前記増幅回路の出力を入力とするローパスフィルタと、前記ローパスフィルタの出力を入力とするクランプ回路と、前記クランプ回路の出力を入力とする同期信号分離回路と、前記同期信号分離回路の出力と後述する論理和回路の出力とを入力とし論理積演算する第４の論理積回路と、前記第４の論理積回路の出力を入力とし前記第４の論理積回路の出力の立ち上がりから第１の所定幅の矩形波を出力する第１の矩形波発生回路と、前記第４の論理積回路の出力を入力とし前記第４の論理積回路の出力の立ち上がりから第２の所定幅の矩形波を出力する第２の矩形波発生回路と、前記第４の論理積回路の出力を入力とし前記第４の論理積回路の出力を反転して出力する第１の反転回路と、前記第１の矩形波発生回路の出力を入力とし前記第１の矩形波発生回路の出力を反転して出力する第２の反転回路と、前記第４の論理積回路の出力を入力とし前記第４の論理積回路の出力の立ち上がりから第５の所定の幅の矩形波を出力する矩形波発生回路と、前記第５の矩形波発生回路の出力を入力とし前記第５の矩形波発生回路の出力を反転して出力する第３の反転回路と、制御信号を入力する第２の制御信号入力端子と、前記第３の反転回路の出力と前記第２の制御信号入力端子からの信号を入力とし論理和の結果を出力する前記論理和回路と、前記第４の論理積回路の出力と前記第２の反転回路の出力を入力とし論理積の結果を出力する第１の論理積回路と、前記第１の論理積回路の出力を入力とし前記第１の論理積回路の出力の立ち上がりから第４の所定の幅の矩形波を発生する第４の矩形波発生回路と、前記第４の矩形波発生回路の出力と前記第３の矩形波発生回路の出力とを入力とし論理積の結果を出力する第２の論理積回路と、前記第２の論理回路の出力と前記第１の反転回路の出力とを入力とし論理積の結果を出力する第３の論理積回路と、前記第３の論理積回路の出力と前記クランプ回路の出力とを入力とし前記クランプ回路の出力信号に前記第３の論理積回路の出力を加算する加算回路と、前記加算回路の出力を入力とし前記加算回路の出力の最大値を検波する最大値検波回路と、前記最大値検波回路の出力を入力とし所定の直流電圧と比較する比較回路とを備えたことを特徴とする自動利得制御回路。
【請求項３】
比較回路の出力によって増幅回路を制御することにより、入力端子から入力された映像信号を所定の振幅に制御して出力する自動利得制御回路で、水平同期信号分離回路の出力が第２の反転回路の出力の矩形波の幅以下のときには第４の矩形波発生回路から矩形波を出力せず、第１の矩形波発生回路と第２の矩形波発生回路の出力をスイッチ回路によって切り換えることにより、映像記録再生装置が記録状態のときには、スイッチ回路が第１の矩形波発生回路の出力を選択し、映像信号の垂直帰線期間に所定の信号が付加されていない映像信号が入力されたときは第１の所定の振幅を出力し、映像信号の垂直帰線期間に所定の信号が付加されている映像信号が入力されたときは第２の所定の振幅を出力し、映像記録再生装置が記録状態以外のときには、スイッチ回路が第２の矩形波発生回路の出力を選択し、映像信号の垂直帰線期間に所定の信号が付加されていない映像信号が入力されたときは第１の所定の振幅を出力し、映像信号の垂直帰線期間に所定の信号が付加されている映像信号が入力されたときにも第１の所定の振幅を出力することを特徴とする自動利得制御回路。
【請求項４】
比較回路の出力によって増幅回路を制御することにより、入力端子から入力された映像信号を所定の振幅に制御して出力する自動利得制御回路で、第２の制御信号入力端子からの信号が真のときは、論理和回路の出力は常に真となって第４の論理積回路に入力され、第２の制御信号入力端子からの信号が偽のときは第３の反転回路の出力がそのまま第４の論理積回路に入力される構成で、第２の制御信号入力端子への入力が偽のときに、第４の論理積回路の出力に第５の所定幅の矩形波の出力期間は同期信号分離回路の出力が出力されないことにより、映像記録再生装置が記録状態のときに、第２の制御信号入力端子への入力が偽となり、映像信号の垂直帰線期間に所定の信号が付加されていない映像信号が入力されたときは第１の所定の振幅を出力し、映像信号の垂直帰線期間に所定の信号が付加されている映像信号が入力されたときは第２の所定の振幅を出力し、映像記録再生装置が記録状態のときに、第２の制御信号入力端子への入力が真となり、映像信号の垂直帰線期間に所定の信号が付加されていない映像信号が入力されたときは第１の所定の振幅を出力し、映像信号の垂直帰線期間に所定の信号が付加されている映像信号が入力されたときにも第１の所定の振幅を出力することを特徴とする自動利得制御回路。
【発明の詳細な説明】
【０００１】
【発明の属する技術分野】
本発明は、映像信号を記録再生する映像記録再生装置（以下、ビデオテープレコーダと略す）における自動利得制御回路（以下、ＡＧＣ回路と略す）に関するものである。
【０００２】
【従来の技術】
以下、従来のビデオテープレコーダに使用されているＡＧＣ回路を図面を参照しながら説明する。
【０００３】
図３は従来のＡＧＣ回路の構成を示したブロック図である。図３において、１は入力端子、２は入力端子１から入力された映像信号が入力される振幅制御増幅回路、３は振幅制御増幅回路２の出力信号から色信号を除去するローパスフィルタ、４はクランプ回路、５はクランプ回路４の出力から複合同期分離信号を分離する同期信号分離回路であり、同期信号分離回路５の出力は第１の論理積回路９と、第１の矩形波発生回路１５と、第３の矩形波発生回路１２と、第１の反転回路１３とに入力される。１５は同期信号分離回路５の出力信号の立ち上がりから第１の所定幅の矩形波を発生する第１の矩形波発生回路、１６は第１の矩形波発生回路１５の出力信号を反転した信号を発生する第２の反転回路、９は同期信号分離回路５の出力信号と第２の反転回路１６の出力信号とを論理積演算する第１の論理積回路、１０は第１の論理積回路９の出力信号の立ち上がりから第４の所定幅の矩形波を発生する第４の矩形波発生回路、１２は同期信号分離回路５の出力信号の立ち上がりから第３の所定幅の矩形波を発生する第３の矩形波発生回路、１１は第４の矩形波発生回路１０の出力信号と第３の矩形波発生回路１２の出力信号とを論理積演算する第２の論理積回路、１３は同期信号分離回路５の出力信号を反転する第１の反転回路、１４は第２の論理積回路１１の出力信号と第１の反転回路１３の出力信号とを論理積演算する第３の論理積回路、６は第３の論理積回路１４の出力信号とクランプ回路４の出力信号とを加算する加算回路、７は加算回路６の出力信号の最大値を検波する最大値検波回路、８は比較回路であり、比較回路８の出力が振幅制御増幅回路２に帰還される。図１０は図３の同期信号分離回路における各部の信号波形図を示したものである。
【０００４】
以上のように構成された従来の自動利得制御回路において、以下同期信号分離回路以降の動作について説明する。
【０００５】
図１０（ａ）に示す同期信号分離回路５の出力信号は、第１の論理積回路９と第１の矩形波発生回路１５と、第３の矩形波発生回路１２と、第１の反転回路１３に入力される。第１の矩形波発生回路１５では、同期信号分離回路５の出力信号の立ち上がりから第１の所定の幅の矩形波（図１０（ｂ））が出力される。第１の矩形波発生回路１５の出力信号は第２の反転回路１６に入力され、第２の反転回路１６からは第１の矩形波発生回路１５を反転した信号（図１０（ｃ））が出力される。同期信号分離回路５の出力信号と第２の反転回路１６の出力信号は第１の論理積回路９に入力され、同期信号分離回路５の出力と第２の反転回路１６の出力の論理積の結果が出力される（図１０（ｄ））。第１の論理積回路９の出力信号は、第４の矩形波発生回路１０に入力される。第４の矩形波発生回路１０では、第１の論理積回路９の出力信号の立ち上がりから第４の所定の幅の矩形波（図１０（ｅ））が出力される。
【０００６】
一方、第３の矩形波発生回路１２では、同期信号分離回路５の出力信号の立ち上がりから第３の所定の幅の矩形波（図１０（ｆ））が出力される。第４の矩形波発生回路１０の出力信号と第３の矩形波発生回路１２の出力信号は、第２の論理積回路１１に入力され、第４の矩形波発生回路１０の出力と第３の矩形波発生回路１２の出力の論理積の結果が出力される（図１０（ｇ））。第２の論理積回路１１の出力信号と第１の反転回路１３の出力信号（図１０（ｈ））は第３の論理積回路１４に入力され、第２の論理積回路１１の出力と第１の反転回路の出力の論理積の結果が出力される（図１０（ｉ））。
【０００７】
この構成により、第３の論理積回路１４の出力は、第１の所定の幅の矩形波の幅よりも広く、第４の所定の幅の矩形波よりも幅の狭い同期信号分離回路５の出力に対してのみ、矩形波が出力される（以下、第３の論理積回路１４の出力をキーパルスとする）。
【０００８】
次に、従来のＡＧＣ回路に垂直帰線期間に所定の信号が付加されている映像信号を入力したときの動作について図８、図９を用いて説明する。
【０００９】
図９は映像信号の垂直帰線期間の一部を示した波形図である。図９（ａ）の映像信号は垂直帰線期間に所定の信号が付加されていない映像信号であり、図９（ｂ）の映像信号は垂直帰線期間に所定の信号が付加されている映像信号を示したものである。
【００１０】
図８（ａ）は図９のＡ、Ｂの部分を拡大したものである。垂直帰線期間に所定の信号が付加されている映像信号の場合、Ｂの部分には擬似同期信号と白１００％の信号が交互に挿入されている。この信号に対して従来のＡＧＣ回路は白１００％の信号部分にキーパルスを加算し、この最大値を所定の値にするように利得を制御するため、振幅が垂直帰線期間に所定の信号が付加されていない映像信号を入力した時よりも小さくなる。これを利用して映像信号の複製を制限している。
【００１１】
【発明が解決しようとする課題】
しかしながら上記従来の構成では、ケーブルテレビの放送などで意図せず複製を制限するための信号が付加されている放送信号があり、このような放送信号をビデオテープレコーダを経由してテレビジョン受像機に映像出力すると、記録していないにもかかわらず、出力される映像信号の振幅が低下するという問題点があった。
【００１２】
本発明は、上記問題点を解決するもので、ビデオテープレコーダが記録状態でないときには、複製を制限するための信号が付加された映像信号が入力されても、出力される映像信号の振幅の低下がない自動利得制御回路を提供することを目的とする。
【００１３】
【課題を解決するための手段】
本発明は上記の目的を達成するために、入力端子と、前記入力端子からの入力信号を入力とする振幅調整が可能な増幅回路と、前記増幅回路の出力を入力とするローパスフィルタと、前記ローパスフィルタの出力を入力とするクランプ回路と、前記クランプ回路の出力を入力とする同期信号分離回路と、前記同期信号分離回路の出力を入力とし前記同期信号分離回路の出力の立ち上がりから第１の所定の幅の矩形波を出力する第１の矩形波発生回路と、前記同期信号分離回路の出力を入力とし前記同期信号分離回路の出力の立ち上がりから第２の所定の幅の矩形波を出力する第２の矩形波発生回路と、前記同期信号分離回路の出力を入力とし前記同期信号分離回路の出力の立ち上がりから第３の所定幅の矩形波を出力する第３の矩形波発生回路と、前記同期信号分離回路の出力を入力とし前記同期信号分離回路の出力を反転して出力する第１の反転回路と、前記第１の矩形波発生回路と前記第２の矩形発生回路の出力を入力とし前記第１の矩形波発生回路と前記第２の矩形発生回路の出力を切り換えるスイッチ回路と、前記スイッチ回路を制御する信号を入力する第１の制御信号入力端子と、前記スイッチ回路の出力を入力とし前記スイッチ回路の出力を反転して出力する第２の反転回路と、前記同期信号分離回路の出力と、前記第２の反転回路の出力を入力し論理積の結果を出力する第１の論理積回路と、前記第１の論理積回路の出力を入力とし前記第１の論理積回路の出力の立ち上がりから第４の所定の幅の矩形波を出力する第４の矩形波発生回路と、前記第４の矩形波発生回路の出力と、前記第３の矩形波発生回路の出力を入力とし論理積の結果を出力する第２の論理積回路と、前記第２の論理回路の出力と前記第１の反転回路の出力とを入力とし論理積の結果を出力する第３の論理積回路と、前記第３の論理積回路の出力と前記クランプ回路の出力とを入力とし前記クランプ回路の出力に前記第３の論理積回路の出力を加算する加算回路と、前記加算回路の出力を入力とし前記加算回路の出力の最大値を検波する最大値検波回路と、前記最大値検波回路の出力を入力とし所定の直流電圧と比較する比較回路とを備え、ビデオテープレコーダが記録状態にないときは、擬似同期信号に対してキーパルスを発生させないことにより、ビデオテープレコーダが記録状態でないときには、複製禁止信号が付加された映像信号が入力されても、出力される映像信号の振幅の低下がない自動利得制御回路である。
【００１４】
この構成によって、ビデオテープレコーダが記録状態でないときには、複製を制限する信号が付加された映像信号が入力されても、出力される映像信号の振幅の低下がないビデオテープレコーダを提供することができる。
【００１５】
【発明の実施の形態】
本発明の請求項１から４に記載の発明は、入力端子と、前記入力端子からの入力信号を入力とする振幅調整が可能な増幅回路と、前記振幅調整が可能な増幅回路の出力を入力とするローパスフィルタと、前記ローパスフィルタの出力を入力とするクランプ回路と、前記クランプ回路の出力を入力とする同期信号分離回路と、前記同期信号分離回路の出力を入力とし、前記同期信号分離回路の出力の立ち上がりから第１の所定の幅の矩形波を出力する第１の矩形波発生回路と、前記同期信号分離回路の出力を入力とし、前記同期信号分離回路の出力の立ち上がりから第２の所定の幅の矩形波を出力する第２の矩形波発生回路と、前記同期信号分離回路の出力を入力とし、前記同期信号分離回路の出力の立ち上がりから第３の所定の幅の矩形波を出力する第３の矩形波発生回路と、前記同期信号分離回路の出力を入力とし、前記同期信号分離回路の出力を反転して出力する第１の反転回路と、前記第１の矩形波発生回路と前記第２の矩形発生回路の出力を入力とし、前記第１の矩形波発生回路と前記第２の矩形波発生回路の出力を切り換えるスイッチ回路と、前記スイッチ回路を制御する信号を入力する第１の制御信号入力端子と、前記スイッチ回路の出力を入力とし、前記スイッチ回路の出力を反転して出力する第２の反転回路と、前記同期信号分離回路の出力と、前記第２の反転回路の出力を入力し、論理積の結果を出力する第１の論理積回路と、前記第１の論理積回路の出力を入力とし、前記第１の論理積回路の出力の立ち上がりから第４の所定の幅の矩形波を出力する第４の矩形波発生回路と、前記第４の矩形波発生回路の出力と、前記第３の矩形波発生回路の出力を入力とし、論理積の結果を出力する第２の論理積回路と、前記第２の論理回路の出力と、前記第１の反転回路の出力を入力とし、論理積の結果を出力する第３の論理積回路と、前記第３の論理積回路の出力と、前記クランプ回路の出力を入力とし、前記クランプ回路の出力に前記第３の論理積回路の出力を加算する加算回路と、前記加算回路の出力を入力とし、前記加算回路の出力の最大値を検波する最大値検波回路と、前記最大値検波回路の出力を入力とし、所定の直流電圧と比較する比較回路を備え、前記比較回路の出力によって前記振幅調整が可能な増幅回路を制御することにより、前記入力端子から入力された映像信号を所定の振幅に制御して出力する自動利得制御回路で、前記水平同期信号分離回路の出力が前記第２の反転回路の出力の矩形波の幅以下のときには前記第４の矩形波発生回路から矩形波を出力しない構成で、前記第１の矩形波発生回路と前記第２の矩形波発生回路の出力を前記スイッチ回路を前記第１の制御信号入力端子からの信号によって切り換えることにより、前記スイッチ回路が第１の矩形波発生回路の出力を選択しているときに、映像信号の垂直帰線期間に所定の信号が付加されていない映像信号が入力されたときは第１の所定の振幅を出力し、映像信号の垂直帰線期間に所定の信号が付加されている映像信号が入力されたときは第２の所定の振幅を出力し、前記スイッチ回路が第２の矩形波発生回路の出力を選択しているときに、映像信号の垂直帰線期間に所定の信号が付加されていない映像信号が入力されたときは第１の所定の振幅を出力し、映像信号の垂直帰線期間に所定の信号が付加されている映像信号が入力されたときにも第１の所定の振幅を出力することを特徴とするもので、ビデオテープレコーダが記録状態にないときは、擬似同期信号に対してキーパルスを発生させないことにより、ビデオテープレコーダが記録状態でないときには、複製を制限する信号が付加された映像信号が入力されても、出力される映像信号の振幅の低下がないという作用を有する。
【００１６】
以下、本発明の実施の形態について、図面を参照しながら説明する。
（実施の形態１）
図１は本実施の形態の自動利得制御回路の構成を示したブロック図である。
【００１７】
図１において、１は入力端子、２は入力端子１から入力された映像信号が入力される振幅制御増幅回路、３は振幅制御増幅回路２の出力信号から色信号を除去するローパスフィルタ、４はクランプ回路、５はクランプ回路４の出力から複合同期分離信号を分離する同期信号分離回路であり、同期信号分離回路５の出力は第１の論理積回路９と、第１の矩形波発生回路１５と、第３の矩形波発生回路１２と、第１の反転回路１３とに入力される。１５は同期信号分離回路５の出力信号の立ち上がりから第１の所定幅の矩形波を発生する第１の矩形波発生回路、１７は同期信号の立ち上がりから擬似同期信号よりも幅が広く垂直帰線期間以外の同期信号の幅より狭い矩形波を発生させる第２の矩形波発生回路、１８は第１及び第２の矩形波発生回路１５及び１７の内一方を制御信号入力端子１９からの制御信号により選択するスイッチ回路、１６はスイッチ回路１８の出力信号を反転した信号を発生する第２の反転回路、９は同期信号分離回路５の出力信号と第２の反転回路１６の出力信号とを論理積演算する第１の論理積回路、１０は第１の論理積回路９の出力信号の立ち上がりから第４の所定幅の矩形波を発生する第４の矩形波発生回路、１２は同期信号分離回路５の出力信号の立ち上がりから第３の所定幅の矩形波を発生する第３の矩形波発生回路、１１は第４の矩形波発生回路１０の出力信号と第３の矩形波発生回路１２の出力信号とを論理積演算する第２の論理積回路、１３は同期信号分離回路５の出力信号を反転する第１の反転回路、１４は第２の論理積回路１１の出力信号と第１の反転回路１３の出力信号とを論理積演算する第３の論理積回路、６は第３の論理積回路１４の出力信号とクランプ回路４の出力信号とを加算する加算回路、７は加算回路６の出力信号の最大値を検波する最大値検波回路、８は比較回路であり、比較回路８の出力が振幅制御増幅回路２に帰還される。図４はスイッチ回路１８が第１の矩形波発生回路１５を選択したときの各部の信号波形図、図５はスイッチ回路１８が第２の矩形波発生回路１７を選択したときの各部の信号波形図を示したものである。
【００１８】
以上のように構成された本実施の形態の自動利得制御回路について、以下スイッチ回路１８が第１の矩形波発生回路１５側を選択した時の動作について図４と共に説明する。
【００１９】
入力端子１から入力された映像信号（図４（ａ））は振幅制御増幅回路２を介して、ローパスフィルタ３で色信号が除去される。ローパスフィルタ３の出力信号はクランプ回路４を介して、同期信号分離回路５で複合同期信号（図４（ｂ））が分離されると共に、加算回路６に入力される。同期信号分離回路５の出力信号は、第１の論理積回路９、第１の矩形波発生回路１５、第２の矩形波発生回路１７、第３の矩形波発生回路１２、第１の反転回路１３に入力される。
【００２０】
ここでスイッチ回路１８がａ側に切り換えられているため、第１の矩形波発生回路１５から同期信号の立ち上がりから擬似同期信号よりも幅の狭い矩形波（図４（ｃ））が出力される。スイッチ回路１８の出力は第２の反転回路１６で反転され（図４（ｅ））、第１の論理積回路９に入力される。第１の論理積回路９は同期信号分離回路５と第１の反転回路１６の論理積の結果を出力する（図４（ｆ））。第１の論理積回路９の出力信号は第４の矩形波発生回路１０に入力され、第４の矩形波発生回路１０は第１の論理積回路９の出力信号の立ち上がりから矩形波を発生させる（図４（ｇ））。第４の矩形波発生回路１０の出力する矩形波の立ち下がり位置は、垂直帰線期間以外の同期信号分離回路５の出力の立ち下がりと垂直帰線期間以外の映像信号のバックポーチの終了位置の間になるように設定する。
【００２１】
第３の矩形波発生回路１２は同期信号分離回路５の出力信号の立ち上がりから矩形波を発生させる（図４（ｈ））。第３の矩形波発生回路１２の出力する矩形波の立ち下がりは、垂直帰線期間以外の映像信号のバックポーチの終了位置になるように設定する。第４の矩形波発生回路１０の出力信号と第３の矩形波発生回路１２の出力信号とは第２の論理積回路１１に入力され論理積演算される（図４（ｉ））。また、同期信号分離回路５の出力信号を第１の反転回路１３で反転させた信号（図４（ｊ））は第３の論理積回路１４に入力され、第３の論理積回路１４では第２の論理積回路１１の出力信号と第１の反転回路１３の出力信号の論理積の結果を出力する（図４（ｋ））。
【００２２】
このようにして作成した第３の論理積回路１４の出力信号をキーパルスとし、加算回路６でクランプ回路４の出力に加算した信号（図４（ｌ））を、最大値検波回路７で最大値検波し（図４（ｍ））、比較回路８で基準の直流電圧と比較することにより振幅制御増幅回路２の出力が一定の値になるように帰還をかける。
【００２３】
次に、スイッチ回路１８が第２の矩形波発生回路１７側を選択した時の動作について図５と共に説明する。
【００２４】
入力端子１から入力された映像信号（図５（ａ））は振幅制御増幅回路２を介して、ローパスフィルタ３で色信号が除去される。ローパスフィルタ３の出力信号はクランプ回路４を介して、同期信号分離回路５で複合同期信号（図５（ｂ））が分離されると共に、加算回路６に入力される。同期信号分離回路５の出力信号は、第１の論理積回路９、第１の矩形波発生回路１５、第２の矩形波発生回路１７、第３の矩形波発生回路１２、第１の反転回路１３に入力される。
【００２５】
ここでスイッチ回路１８がｂ側に接続されているため、第２の矩形波発生回路１７で発生した同期信号の立ち上がりから擬似同期信号よりも幅が広く垂直帰線期間以外の同期信号の幅より狭い矩形波（図５（ｄ））がスイッチ回路１８から出力される。スイッチ回路１８の出力は第２の反転回路１６で反転され（図５（ｅ））、第２の反転回路１６の出力信号は第１の論理積回路９に入力される。第１の論理積回路９は同期信号分離回路５の出力信号と第１の反転回路１６の出力信号とを論理積演算して出力する（図５（ｆ））。第１の論理積回路９は第４の矩形波発生回路１０に入力され、第１の論理積回路９の出力信号の立ち上がりから矩形波を発生させる（図５（ｇ））。第４の矩形波発生回路１０の出力する矩形波の立ち下がり位置は、垂直帰線期間以外の同期信号分離回路５の出力の立ち下がりと垂直帰線期間以外の映像信号のバックポーチの終了位置の間になるように設定する。
【００２６】
一方、第３の矩形波発生回路１２は同期信号分離回路５の出力信号の立ち上がりから矩形波を発生させる（図５（ｈ））。第３の矩形波発生回路の出力する矩形波の立ち下がりは、垂直帰線期間以外の映像信号のバックポーチの終了位置になるように設定する。第２の論理積回路１１は第４の矩形波発生回路１０の出力信号と第３の矩形波発生回路１２の出力信号との論理積の結果を出力する（図５（ｉ））。第３の論理積回路１４は、第２の論理積回路１１の出力信号と第１の反転回路１３の出力信号（図５（ｊ））との論理積の結果を出力する（図５（ｋ））。
【００２７】
このようにして作成した第３の論理積回路１４の出力信号をキーパルスとし、加算回路６でクランプ回路４の出力に加算した信号（図５（ｌ））を、最大値検波回路７で最大値検波し（図５（ｍ））、比較回路８で基準の直流電圧と比較することにより振幅制御増幅回路２の出力が一定の値になるように帰還をかける。
【００２８】
図４、図５の映像信号のＢ部分において、スイッチ回路１８が第１の矩形波発生回路１５の出力を選択しているときはＢ部分の擬似同期信号に対してキーパルスを発生し、スイッチ回路１８が第２の矩形波発生回路１７の出力を選択しているときはＢ部分の擬似同期信号に対してキーパルスを発生しない。
【００２９】
以上のように本実施の形態によれば、ビデオテープレコーダが記録状態のときにはスイッチ回路１８が第１の矩形波発生回路１５の出力を選択し、ビデオテープレコーダが記録状態以外のときにはスイッチ回路１８が第２の矩形波発生回路１７の出力を選択するように設定することにより、ビデオテープレコーダが記録状態でないときには、複製を制限する信号が付加された映像信号が入力されても、出力される映像信号の振幅の低下がないビデオテープレコーダを提供することができる。
【００３０】
（実施の形態２）
以下、本発明の第２の実施の形態について図面を用いて説明する。
【００３１】
図２は本実施の形態の自動利得制御回路の構成を示したブロック図である。図２において、図１に示す実施の形態１と同様の構成要素については、その説明は省略する。２２は同期信号分離回路５の出力同期信号と後述する論理和回路２１の出力信号とが入力される第４の論理積回路、２０は第４の論理積回路２２の出力の立ち上がりから１水平同期期間の４分の３より広く１水平同期期間より狭い矩形波を発生する第５の矩形波発生回路、２３は第５の矩形波発生回路２０の出力信号を反転させる第３の反転回路、２１は第３の反転回路２３の出力信号と制御信号入力端子２４からの制御信号とにより論理和演算される論理和回路である。図６は図２における第２の制御信号入力端子２４が真のときの各部の信号波形図を示したもの、図７は第２の制御信号入力端子２４が偽のときの各部の信号波形図を示したものである。
【００３２】
以上のように構成された本実施の形態の自動利得制御回路について、以下制御信号入力端子２４が真の時の動作について図６と共に説明する。
【００３３】
入力される映像信号（図６（ａ））に対して、同期信号分離回路５によって同期信号（図６（ｂ））が分離される。その同期信号は第５の矩形波発生回路２０に入力され、第４の論理積回路２２の出力の立ち上がりから１水平同期期間の４分の３より広く、１水平同期期間より狭い矩形波（図６（ｃ））を発生する。ここで、第２の制御信号入力端子２４が真であるため、論理和回路２１の出力信号（図６（ｄ））は真となり、同期信号分離回路５の出力信号がそのまま第４の論理積回路２２から出力される（図６（ｅ））。
【００３４】
第１の矩形波発生回路１５は第４の論理積回路２２の出力の立ち上がりから擬似同期信号よりも幅の狭い矩形波（図６（ｆ））を発生させる。第１の矩形波発生回路１５の出力信号は、第２の反転回路１６で反転され（図６（ｇ））、第１の論理積回路９は第４の論理積回路２２の出力信号と第２の反転回路１６の出力信号との論理積の結果を出力する（図６（ｈ））。第１の論理積回路９の出力信号は、第４の矩形波発生回路１０に入力される。第４の矩形波発生回路１０は第１の論理積回路９の出力信号の立ち上がりから矩形波（図６（ｉ））を発生させる。第４の矩形波発生回路１０の出力する矩形波の立ち下がり位置は、垂直帰線期間以外の同期信号分離回路５の出力の立ち下がりと垂直帰線期間以外の映像信号のバックポーチの終了位置の間になるように設定する。
【００３５】
第３の矩形波発生回路１２は第４の論理積回路２２の出力信号の立ち上がりから矩形波（図６（ｊ））を発生させる。第３の矩形波発生回路１２の出力する矩形波の立ち下がりは、垂直帰線期間以外の映像信号のバックポーチの終了位置になるように設定する。第３の矩形波発生回路１２の出力信号は第２の論理積回路１１に入力され、第２の論理積回路１１は第４の矩形波発生回路１０の出力信号と第３の矩形波発生回路１２の出力信号の論理積の結果を出力する（図６（ｋ））。第３の論理積回路１４は第２の論理積回路１１の出力信号と第１の反転回路１３の出力信号（図６（ｌ））の論理積の結果を出力する（図６（ｍ））。
【００３６】
このようにして作成した第３の論理積回路１４の出力信号をキーパルスとし、加算回路６でクランプ回路４の出力信号に加算した結果（図６（ｎ））を、最大値検波回路７で最大値検波（図６（ｏ））し、比較回路８で基準の直流電圧と比較することにより、振幅制御増幅回路２の出力が一定の値になるように帰還をかける。
【００３７】
次に、制御信号入力端子２４が偽の時の動作について図７と共に説明する。
入力される映像信号（図７（ａ））に対して、同期信号分離回路５によって同期信号（図７（ｂ））が分離される。その同期信号は第５の矩形波発生回路２０に入力され、第４の論理積回路２２の出力の立ち上がりから１水平同期期間の４分の３より広く、１水平同期期間より狭い矩形波（図７（ｃ））を発生する。ここで、第２の制御信号入力端子２４が偽であるため、論理和回路２１の出力信号（図７（ｄ））は第３の反転回路２３の出力信号に応じて真または偽となり、第４の論理積回路２２への出力信号が偽の時には同期信号分離回路５の出力信号は第４の論理積回路２２の出力には出力されない。真の時には同期信号分離回路５の出力信号がそのまま第４の論理積回路２２から出力される（図７（ｅ））。
【００３８】
第１の矩形波発生回路１５は第４の論理積回路２２の出力の立ち上がりから擬似同期信号よりも幅の狭い矩形波（図７（ｆ））を発生させる。第１の矩形波発生回路１５の出力信号は、第２の反転回路１６で反転され（図７（ｇ））、第１の論理積回路９は第４の論理積回路２２の出力信号と第２の反転回路１６の出力信号との論理積の結果を出力する（図７（ｈ））。第１の論理積回路９の出力信号は、第４の矩形波発生回路１０に入力される。第４の矩形波発生回路１０は第１の論理積回路９の出力信号の立ち上がりから矩形波（図７（ｉ））を発生させる。第４の矩形波発生回路１０の出力する矩形波の立ち下がり位置は、垂直帰線期間以外の同期信号分離回路５の出力の立ち下がりと垂直帰線期間以外の映像信号のバックポーチの終了位置の間になるように設定する。
【００３９】
第３の矩形波発生回路１２は第４の論理積回路２２の出力信号の立ち上がりから矩形波（図７（ｊ））を発生させる。第３の矩形波発生回路１２の出力する矩形波の立ち下がりは、垂直帰線期間以外の映像信号のバックポーチの終了位置になるように設定する。第３の矩形波発生回路１２の出力信号は第２の論理積回路１１に入力され、第２の論理積回路１１は第４の矩形波発生回路１０の出力信号と第３の矩形波発生回路１２の出力信号の論理積の結果を出力する（図７（ｋ））。第３の論理積回路１４は第２の論理積回路１１の出力信号と第１の反転回路１３の出力信号（図７（ｌ））の論理積の結果を出力する（図７（ｍ））。
【００４０】
このようにして作成した第３の論理積回路１４の出力信号をキーパルスとし、加算回路６でクランプ回路４の出力信号に加算した結果（図７（ｎ））を、最大値検波回路７で最大値検波（図７（ｏ））し、比較回路８で基準の直流電圧と比較することにより、振幅制御増幅回路２の出力が一定の値になるように帰還をかける。
【００４１】
図６、図７の映像信号のＢ部分において、制御信号入力端子２４が真のときはＢ部分の擬似同期信号に対してキーパルスを発生し、制御信号入力端子２４が偽のときはＢ部分の擬似同期信号に対してキーパルスを発生しない。
【００４２】
以上のように本実施の形態によれば、ビデオテープレコーダが記録状態のときには制御信号入力端子２４が真となり、ビデオテープレコーダが記録状態以外のときには制御信号入力端子２４が偽となるように設定することにより、ビデオテープレコーダが記録状態でないときには、複製を制限するための信号が付加された映像信号が入力されても、出力される映像信号の振幅の低下がないビデオテープレコーダを提供することができる。
【００４３】
【発明の効果】
以上のように本発明によれば、ビデオテープレコーダが記録状態のときには制御信号入力端子が真となり、ビデオテープレコーダが記録状態以外のときには制御信号入力端子が偽となるように設定することにより、ビデオテープレコーダが記録状態でないときには、複製を制限するための信号が付加された映像信号が入力されても、出力される映像信号の振幅の低下がないビデオテープレコーダを提供することができる。
【図面の簡単な説明】
【図１】本発明の実施の形態１における自動利得制御回路のブロック図
【図２】本発明の実施の形態２における自動利得制御回路のブロック図
【図３】従来の自動利得制御回路のブロック図
【図４】本発明の実施の形態１における自動利得制御回路のスイッチ回路が第１の矩形波発生回路１５の出力を選択したときの各部の信号波形図
【図５】本発明の実施の形態１における自動利得制御回路のスイッチ回路が第２の矩形波発生回路１７の出力を選択したときの各部の信号波形図
【図６】本発明の実施の形態２における自動利得制御回路の制御信号入力端子２４が真ときの各部の信号波形図
【図７】本発明の実施の形態２における自動利得制御回路の制御信号入力端子２４が偽ときの各部の信号波形図
【図８】従来の自動利得制御回路の制御信号入力端子２４が真ときの各部の信号波形図
【図９】映像信号の垂直帰線期間を示した波形図
【図１０】従来の自動利得制御回路の同期信号とキーパルスの関係を示した波形図
【符号の説明】
１  入力端子
２  振幅制御増幅回路
３  ローパスフィルタ
４  クランプ回路
５  同期信号分離回路
６  加算回路
７  最大値検波回路
８  比較器
９  第１の論理積回路
１０  第４の矩形波発生回路
１１  第２の論理積回路
１２  第３の矩形波発生回路
１３  第１の反転回路
１４  第３の論理積回路
１５  第１の矩形波発生回路
１６  第２の反転回路
１７  第２の矩形波発生回路
１８  スイッチ回路
１９  第１の制御信号入力端子
２０  第５の矩形波発生回路
２１  論理和回路
２２  第４の論理積回路
２３  第３の反転回路
２４  第２の制御信号入力端子
【図１】
0003587006.tif 000002
【図２】
0003587006.tif 000003
【図３】
0003587006.tif 000004
【図４】
0003587006.tif 000005
【図５】
0003587006.tif 000006
【図６】
0003587006.tif 000007
【図７】
0003587006.tif 000008
【図８】
0003587006.tif 000009
【図９】
0003587006.tif 000010
【図１０】
0003587006.tif 000011